(57)【要約】【課題】取付対象部材への組み付けが容易な導光部材、及びその導光部材を用いたインジケータを提供する。【解決手段】本発明の一態様として、第１の入射面２１ａから入射した光を第１の出射面２１ｂに導く第１の導光部２１と、第２の入射面２２ａから入射した光を第２の出射面２２ｂに導く第２の導光部２２と、第１及び第２の導光部２１，２２を連結する連結部２３とを有し、第１及び第２の導光部２１，２２ならびに連結部２３が透光性材料により一体に形成された導光部材２であって、連結部２３は、第１の導光部２１との接続箇所２１０から入射した光が内部反射して第２の導光部２２に伝搬することを抑制すると共に、第２の導光部２２との接続箇所２２０から入射した光が内部反射して第１の導光部２１に伝搬することを抑制する光伝搬抑制形状を有している、導光部材２を提供する。【選択図】図１
2020053214.tif 000002
【特許請求の範囲】
【請求項１】
第１の入射面から入射した光を第１の出射面に導く第１の導光部と、第２の入射面から入射した光を第２の出射面に導く第２の導光部と、前記第１及び第２の導光部を連結する連結部とを有し、前記第１及び第２の導光部ならびに前記連結部が透光性材料により一体に形成された導光部材であって、
前記連結部は、前記第１の導光部との接続箇所から入射した光が内部反射して前記第２の導光部に伝搬することを抑制すると共に、前記第２の導光部との接続箇所から入射した光が内部反射して前記第１の導光部に伝搬することを抑制する光伝搬抑制形状を有している、導光部材。
【請求項２】
前記光伝搬抑制形状は、前記第１の導光部との接続箇所から前記連結部に入射した光が当たる第１の面の角度、及び前記第２の導光部との接続箇所から前記連結部に入射した光が当たる第２の面の角度が、当該光を全反射させない角度に設定された形状である、
請求項１に記載の導光部材。
【請求項３】
前記第１の導光部及び前記第２の導光部は、少なくとも前記接続箇所の周辺部が互いに平行かつ直線状であり、
前記透光性材料の全内部反射の臨界角をθ（°）とし、前記周辺部における前記第１及び第２の導光部の中心軸に対して垂直な仮想平面に対する前記第１及び第２の面の角度をそれぞれθ１（°），θ２（°）とすると、下記式（１）及び（２）を満たす、
請求項２に記載の導光部材。
θ１＞９０−θ×２  （１）
θ２＞９０−θ×２  （２）
【請求項４】
請求項１乃至３の何れかに記載の導光部材と、
前記導光部材を保持する非透光性の保持部材と、
前記第１の導光部の入射面に対向して配置された第１の発光素子と、
前記第２の導光部の入射面に対向して配置された第２の発光素子と、
を備えたインジケータ。
【発明の詳細な説明】
【技術分野】
【０００１】
本発明は、入射面から入射した光を出射面に導く透光性材料からなる導光部材、及び導光部材を用いたインジケータに関する。
【背景技術】
【０００２】
従来、透光性材料からなり、入射面から入射した光を出射面に導く導光部材が、例えば車両の車室内のインジケータに用いられている（例えば、特許文献１参照）。
【０００３】
特許文献１に記載の操作装置は、複数のボタンを備え、それぞれのボタンに光源の光を前面パネルのインジケータ用孔に導く導光部材（導光体）が対応して配置されている。それぞれの導光部材は四角柱状であり、長手方向の一端部にインジケータ用孔に挿入されるプリズム部が形成されている。光源の光は、導光部材の他端部から入射してプリズム部から拡散して出射される。
【先行技術文献】
【特許文献】
【０００４】
【特許文献１】特開２０１０−２２５３２４号公報
【発明の概要】
【発明が解決しようとする課題】
【０００５】
特許文献１に記載のもののように、複数の導光部材を有する装置を組み立てる場合には、それぞれの導光部材を一本ずつ取付対象部材に取り付けなければならず、組み付け工数が嵩んでしまう。
【０００６】
そこで、本発明は、取付対象部材への組み付けが容易な導光部材、及びその導光部材を用いたインジケータを提供することを目的とする。
【課題を解決するための手段】
【０００７】
本発明の一態様は、上記目的を達成するために、下記［１］〜［３］の導光部材、及び下記［４］のインジケータを提供する。
【０００８】
［１］第１の入射面から入射した光を第１の出射面に導く第１の導光部と、第２の入射面から入射した光を第２の出射面に導く第２の導光部と、前記第１及び第２の導光部を連結する連結部とを有し、前記第１及び第２の導光部ならびに前記連結部が透光性材料により一体に形成された導光部材であって、前記連結部は、前記第１の導光部との接続箇所から入射した光が内部反射して前記第２の導光部に伝搬することを抑制すると共に、前記第２の導光部との接続箇所から入射した光が内部反射して前記第１の導光部に伝搬することを抑制する光伝搬抑制形状を有している、導光部材。
【０００９】
［２］前記光伝搬抑制形状は、前記第１の導光部との接続箇所から前記連結部に入射した光が当たる第１の面の角度、及び前記第２の導光部との接続箇所から前記連結部に入射した光が当たる第２の面の角度が、当該光を全反射させない角度に設定された形状である、上記［１］に記載の導光部材。
【００１０】
［３］前記第１の導光部及び前記第２の導光部は、少なくとも前記接続箇所の周辺部が互いに平行かつ直線状であり、前記透光性材料の全内部反射の臨界角をθ（°）とし、前記周辺部における前記第１及び第２の導光部の中心軸に対して垂直な仮想平面に対する前記第１及び第２の面の角度をそれぞれθ１（°），θ２（°）とすると、下記式（１）及び（２）を満たす、上記［２］に記載の導光部材。
θ１＞９０−θ×２  （１）
θ２＞９０−θ×２  （２）
【００１１】
［４］上記［１］乃至［３］の何れかに記載の導光部材と、前記導光部材を保持する非透光性の保持部材と、前記第１の導光部の入射面に対向して配置された第１の発光素子と、前記第２の導光部の入射面に対向して配置された第２の発光素子と、を備えたインジケータ。
【発明の効果】
【００１２】
本発明に係る導光部材によれば、取付対象部材への組み付けが容易となる。また、本発明に係るインジケータによれば、組み付け工数の削減により低コスト化を図ることが可能となる。
【図面の簡単な説明】
【００１３】
【図１】図１（ａ）〜（ｂ）は、本発明の第１の実施の形態に係るインジケータを示している。図１（ａ）はインジケータの表示面を示す平面図であり、図１（ｂ）は図１（ａ）のＡ−Ａ線におけるインジケータの断面図である。図１（ｃ）は、インジケータケース及び導光部材を表示面とは反対側から見た構成図である。
【図２】図２は、導光部材を示す斜視図である。
【図３】図３（ａ）は、第１の比較例に係る導光部材の一部を示す説明図である。図３（ｂ）は、第２の比較例に係る導光部材の一部を示す説明図である。
【図４】図４は、本実施の形態に係る導光部材の一部を示す説明図である。
【図５】図５は、本発明の第２の実施の形態に係る導光部材をインジケータケースと共に示す断面図である。
【図６】図６は、本発明の第２の実施の形態に係る導光部材をインジケータケースと共に示す断面図である。
【発明を実施するための形態】
【００１４】
［第１の実施の形態］
本発明の実施の形態について、図１乃至図４を参照して説明する。なお、以下に説明する実施の形態は、本発明を実施する上での好適な具体例として示すものであり、技術的に好ましい種々の技術的事項を具体的に例示している部分もあるが、本発明の技術的範囲は、この具体的態様に限定されるものではない。
【００１５】
図１（ａ）〜（ｂ）は、本発明の第１の実施の形態に係るインジケータを示している。図１（ａ）はインジケータの表示面を示す平面図であり、図１（ｂ）は図１（ａ）のＡ−Ａ線におけるインジケータの断面図である。図１（ｃ）は、インジケータケース及び導光部材を表示面とは反対側から見た構成図である。
【００１６】
このインジケータ１は、例えば透光性の樹脂材料を射出成型して形成された導光部材２と、導光部材２を保持する非透光性の保持部材としてのインジケータケース３と、基板４０に実装された第１及び第２の発光素子４１，４２とを備えている。インジケータ１は、例えば車両の車室内に配置され、車両の運転者又は同乗者に何らかの状態情報を示す。この状態情報は、例えば車載装置の正常又は異常を示す情報である。インジケータ１は、運転者又は同乗者から視認可能な位置に表示面１ａを配向して設置される。
【００１７】
図２は、導光部材２を示す斜視図である。導光部材２は、第１の入射面２１ａから入射した光を第１の出射面２１ｂに導く第１の導光部２１と、第２の入射面２２ａから入射した光を第２の出射面２２ｂに導く第２の導光部２２と、第１及び第２の導光部２１，２２を連結する連結部２３とを有している。また、導光部材２は、第１及び第２の導光部２１，２２ならびに連結部２３が透光性材料により一体に形成されている。
【００１８】
本実施の形態では、導光部材２の透光性材料がポリカーボネートである場合について説明する。ポリカーボネートの屈折率は１．５８であり、全内部反射の臨界角は３９°である。また、導光部材２の透光性材料として、ポリメタクリル酸メチル樹脂を用いてもよい。ポリメタクリル酸メチル樹脂の屈折率は１．４９であり、全内部反射の臨界角は４２°である。
【００１９】
第１及び第２の導光部２１，２２は、少なくとも連結部２３との接続箇所２１０，２２０の周辺部が互いに平行かつ直線状である。本実施の形態では、第１の導光部２１及び第２の導光部２２の全体が四角柱状である。図２では、第１の導光部２１及び第２の導光部２２のそれぞれの中心軸Ｃ１，Ｃ２を一点鎖線で示している。
【００２０】
また、本実施の形態では、第１の導光部２１及び第２の導光部２２の長さ及び断面形状が同じである。ただし、これに限らず、第１の導光部２１及び第２の導光部２２の長さが異なっていてもよく、中心軸Ｃ１，Ｃ２に対して直交する断面の形状や大きさが異なっていてもよい。また、第１及び第２の導光部２１，２２は、連結部２３との接続箇所２１０，２２０の周辺部以外の部分において湾曲したり折れ曲がっていてもよい。またさらに、インジケータケース３や基板４０との位置関係を規定するための突起や窪みを有していてもよい。
【００２１】
第１の入射面２１ａ及び第１の出射面２１ｂは、中心軸Ｃ１に沿った長手方向における第１の導光部２１の一側及び他側の端面として形成されている。また、第２の入射面２２ａ及び第２の出射面２２ｂは、中心軸Ｃ２に沿った長手方向における第２の導光部２２の一側及び他側の端面として形成されている。第１の出射面２１ｂ及び第２の出射面２２ｂは、インジケータケース３の外面３ａと共にインジケータ１の表示面１ａを構成する。
【００２２】
インジケータケース３には、第１及び第２の導光部２１，２２を保持する保持部３０が設けられている。保持部３０は、第１の導光部２１と第２の導光部２２との間に位置する第１及び第２の内壁部３１，３２、第１の導光部２１の周囲のうち第１の内壁部３１に対向する部分以外の三方を囲む第１の外壁部３３、及び第２の導光部２２の周囲のうち第２の内壁部３１に対向する部分以外の三方を囲む第２の外壁部３４からなる。
【００２３】
第１の導光部２１は、第１の内壁部３１及び第１の外壁部３３によって形成される保持孔３０ａに嵌合され、第２の導光部２２は、第２の内壁部３２及び第２の外壁部３４によって形成される保持孔３０ｂに嵌合されている。第１及び第２の外壁部３３，３４は、第１及び第２の内壁部３１，３２よりもインジケータケース３の内面３ｂからの突出高さが高く形成されている。
【００２４】
基板４０は、図外の部位でインジケータケース３に固定されている。第１の発光素子４１は、第１の導光部２１の第１の入射面２１ａに対向して配置され、第１の発光素子４１から発光した光（第１の発光光Ｌ１）が第１の入射面２１ａに入射する。第１の入射面２１ａに入射した第１の発光光Ｌ１は、直接的に、もしくは第１の導光部２１の側面２１ｃで内部反射して間接的に、第１の出射面２１ｂから出射される。
【００２５】
第２の発光素子４２は、第２の導光部２２の第２の入射面２２ａに対向して配置され、第２の発光素子４２から発光した光（第２の発光光Ｌ２）が第２の入射面２２ａに入射する。第２の入射面２２ａに入射した第２の発光光Ｌ２は、直接的に、もしくは第２の導光部２２の側面２２ｃで内部反射して間接的に、第２の出射面２２ｂから出射される。
【００２６】
第１の発光素子４１及び第２の発光素子４２は、例えばＬＥＤ（light emitting diode）であるが、レーザー光源を第１の発光素子４１の及び第２の発光素子４２として用いてもよい。また、第１の発光光Ｌ１と第２の発光光Ｌ２とは、波長（発光色）が異なっている。本実施の形態では、第１の発光光Ｌ１が緑色光であり、第２の発光光Ｌ２が赤色光である場合について説明するが、それぞれの発光光の色は適宜選択することが可能である。また、インジケータ１は、第１の発光素子４１が発光しているときには第２の発光素子４２を発光させず、第２の発光素子４２が発光しているときには第１の発光素子４１を発光させないように、第１及び第２の発光素子４１，４２の発光状態を切り替える。
【００２７】
ここで、第１の入射面２１ａから入射した第１の発光光Ｌ１が連結部２３を介して第２の導光部２２に伝搬し、第２の出射面２２ｂから出射されると、第１の発光素子４１のみが発光しているにもかかわらず、第２の出射面２２ｂから光が漏れ出てしまう。また、第２の入射面２２ａから入射した第２の発光光Ｌ２が連結部２３を介して第１の導光部２１に伝搬し、第１の出射面２１ｂから出射されると、第２の発光素子４２のみが発光しているにもかかわらず、第１の出射面２１ｂから光が漏れ出てしまう。このような光の漏出は、視認性や意匠性の低下を招来してしまうため、抑制することが望ましい。
【００２８】
そこで、本実施の形態では、連結部２３が、第１の導光部２１との接続箇所２１０から入射した光が内部反射して第２の導光部２２に伝搬することを抑制すると共に、第２の導光部２２との接続箇所２２０から入射した光が内部反射して第１の導光部２１に伝搬することを抑制する光伝搬抑制形状を有している。以下、この光伝搬抑制形状について詳細に説明する。
【００２９】
連結部２３は、第１及び第２の導光部２１，２２の並び方向（中心軸Ｃ１，Ｃ２に対して直交する方向）の中央部２３０が第１及び第２の導光部２１，２２との接続箇所２１０，２２０に対して第１及び第２の入射面２１ａ，２２ａ側（基板４０側）に突出している。
【００３０】
以下、連結部２３において、中央部２３０よりも第１の導光部２１との接続箇所２１０側の部分を第１の連結腕部２３１といい、中央部２３０よりも第２の導光部２２との接続箇所２２０側の部分を第２の連結腕部２３２という。また、連結部２３の側面のうち、第１の連結腕部２３１における第１及び第２の出射面２１ｂ，２２ｂ側（インジケータケース３側）の面を第１の放射面２３ａといい、第２の連結腕部２３２における第１及び第２の出射面２１ｂ，２２ｂ側の面を第２の放射面２３ｂという。
【００３１】
第１の連結腕部２３１及び第２の連結腕部２３２は、それぞれの延在方向に対して垂直な断面における断面形状が矩形状である。第１の連結腕部２３１における第１及び第２の入射面２１ａ，２２ａ側（基板４０側）の第１の側面２３ｃは、第１の放射面２３ａと平行な平坦面であり、第２の連結腕部２３２における第１及び第２の入射面２１ａ，２２ａ側の第２の側面２３ｄは、第２の放射面２３ｂと平行な平坦面である。
【００３２】
第１及び第２の導光部２１，２２の並び方向に対して垂直な方向から導光部材２を見た場合、第１の放射面２３ａ及び第２の放射面２３ｂはＶ字状を呈する。また、図１（ｂ）に示すように、第１の導光部２１との接続箇所２１０は、第２の放射面２３ｂを延長した延長線Ｌｂと交差しない範囲に設けられており、第２の導光部２２との接続箇所２２０は、第１の放射面２３ａを延長した延長線Ｌａと交差しない範囲に設けられている。
【００３３】
連結部２３の光伝搬抑制形状は、第１の導光部２１との接続箇所２１０から第１の連結腕部２３１に入射した光が当たる第１の面の角度、及び第２の導光部２２との接続箇所２２０から第２の連結腕部２３２に入射した光が当たる第２の面の角度が、当該光を全反射させない角度に設定された形状である。本実施の形態では、この第１の面が第１の放射面２３ａにあたり、第２の面が第２の放射面２３ｂにあたる。次に、この角度について、図３及び図４を参照してより具体的に説明する。
【００３４】
まず、図３（ａ）及び（ｂ）を参照して第１及び第２の比較例について説明する。第１及び第２の比較例に係る導光部材２０１，２０２は、本実施の形態に係る導光部材２と同じく、ポリカーボネートからなるものとする。
【００３５】
図３（ａ）は、第１の比較例に係る導光部材２０１の一部を示す説明図である。図３（ａ）では、図面下方が第１及び第２の入射面２１ａ，２２ａ側にあたり、図面上方が第１及び第２の出射面２１ｂ，２２ｂ側にあたる。
【００３６】
この導光部材２０１は、第１の導光部２１と第２の導光部２２とが直線状の連結部２４によってＨ字状に連結されている。連結部２４は、四角柱状であり、中心軸Ｃ１,Ｃ２に対して垂直な方向に延在している。連結部２４における第１及び第２の出射面２１ｂ，２２ｂ側の側面２４ａ及び第１及び第２の出射面２１ｂ，２２ｂ側の側面２４ｂは、第１の導光部２１及び第２の導光部２２の長手方向に並んで互いに平行に向かい合っている。
【００３７】
図３（ａ）では、第１の導光部２１の側面２１ｃに臨界角θ（＝３９°）で全内部反射して出射面２１ｂ側に進み、接続箇所２１０から連結部２４に入射する第１の発光光Ｌ１の光路を矢印で示している。導光部材２０１では、接続箇所２１０から連結部２４に入射した第１の発光光Ｌ１が連結部２４の第１及び第２の出射面２１ｂ，２２ｂ側の側面２４ａに当たる際の入射角φ（＝５１°）が臨界角θよりも大きいので、第１の発光光Ｌ１は側面２４ａで全反射して第２の導光部２２側に進む。このため、第１の発光素子４１から発した緑色光の一部が第２の出射面２２ｂから出射され、運転者等から見た場合に第２の出射面２２ｂが緑色に薄く光ってしまうおそれがある。
【００３８】
図３（ｂ）は、第２の比較例に係る導光部材２０２の一部を示す説明図である。図３（ｂ）では、図３（ａ）と同様に、図面下方が第１及び第２の入射面２１ａ，２２ａ側にあたり、図面上方が第１及び第２の出射面２１ｂ，２２ｂ側にあたる。
【００３９】
この導光部材２０２は、第１の導光部２１と第２の導光部２２とを連結する連結部２５が、本実施の形態に係る連結部２３と同様に、中央部２３０を挟んで第１の連結腕部２５１及び第２の連結腕部２５２を有し、第１の連結腕部２５１の第１及び第２の出射面２１ｂ，２２ｂ側の側面２５ａと、第２の連結腕部２５２の第１及び第２の出射面２１ｂ，２２ｂ側の側面２５ｂとがＶ字状を呈しているが、このＶ字の開き角が本実施の形態に係る連結部２３における第１の放射面２３ａ及び第２の放射面２３ｂのＶ字の開き角よりも大きい。
【００４０】
また、この導光部材２０２では、接続箇所２１０から連結部２５に入射した第１の発光光Ｌ１が第１の連結腕部２５１の側面２５ａに当たる際の入射角φが臨界角θと同じ角度になるように、中心軸Ｃ１，Ｃ２に対して垂直な仮想平面Ｓに対する側面２５ａの角度θ０が設定されている。この場合の角度θ０は、図３（ｂ）から明らかなように、９０（°）から入射角φ及び臨界角θを減算した角度である。ここでは入射角φが臨界角θと等しいので、角度θ０は、下記式により求めることができる。
θ０（°）＝９０（°）−θ（°）×２
【００４１】
導光部材２０２がポリカーボネートからなる場合には、臨界角θが３９°であるので、角度θ０は１２°となる。入射角φが臨界角θと等しいと、第１の連結腕部２５１の側面２５ａに当たった第１の発光光Ｌ１は側面２５ａに沿って進み、側面２５ａから導光部材２０２の外部には放射されない。なお、仮想平面Ｓに対する側面２５ｂの角度も、仮想平面Ｓに対する側面２５ａの角度と同様に設定されている。
【００４２】
図４は、本実施の形態に係る導光部材２の一部を示す説明図である。導光部材２では、接続箇所２１０から連結部２３に入射した第１の発光光Ｌ１が第１の連結腕部２３１の第１の放射面２３ａに当たる際の入射角φが臨界角θよりも小さい角度になるように、中心軸Ｃ１，Ｃ２に対して垂直な仮想平面Ｓに対する第１の放射面の角度θ１が設定されている。これにより、第１の放射面２３ａに当たった第１の発光光Ｌ１は全反射せず、屈折率に応じて定まる所定の屈折角γの角度をもって第１の放射面２３ａから外部に放射される。図４の図示例では、角度θ１が３０°であり、入射角φが２０°である。
【００４３】
また、第２の連結腕部２３２の第２の放射面２３ｂは、仮想平面Ｓに対する角度θ２が角度θ１と同じ角度に設定されている。これにより、本実施の形態に係る導光部材では、下記式（１）及び（２）が満たされる。
θ１（°）＞９０（°）−θ（°）×２  （１）
θ２（°）＞９０（°）−θ（°）×２  （２）
【００４４】
また、本実施の形態に係る導光部材２では、角度θ１，θ２が第２の比較例に係る導光部材２０２における角度θ０の２倍以上であるため、第１及び第２の放射面２３ａ，２３ｂにおける内部反射の反射率が低減され、外部に放射される光の割合が高められている。なお、第１の連結腕部２３１の第１の放射面２３ａから外部に放射された光が第２の導光部２２の側面２２ｃから再入射することや、第２の連結腕部２３２の第２の放射面２３ｂから外部に放射された光が第１の導光部２１の側面２１ｃから再入射することは、インジケータケース３の内壁部３１によって抑止されている。
【００４５】
以上説明した本実施の形態によれば、第１の導光部２１及び第２の導光部２２が連結部２３によって一体に連結されているので、第１の導光部２１と第２の導光部２２とが別体である場合に比較して、取付対象部材としてのインジケータケース３への組み付けが容易となる。また、第１の導光部２１との接続箇所２１０から入射した光が連結部２３で内部反射して第２の導光部２２に伝搬することや、第２の導光部２２との接続箇所２２０から入射した光が連結部２３で内部反射して第１の導光部２１に伝搬することが抑制されている。これにより、視認性や意匠性を損なうことなく、組み付け作業工数の低減によってインジケータ１の低コスト化に寄与することができる。
【００４６】
［第２の実施の形態］
次に、本発明の第２の実施の形態に係る導光部材２Ａについて、図５を参照して説明する。図５は、本発明の第２の実施の形態に係る導光部材２Ａをインジケータケース３と共に示す断面図である。図５において、第１の実施の形態において説明したものと共通する構成要素については、図１（ｂ）等に付したものと同一の符号を付して重複した説明を省略する。
【００４７】
第１の実施の形態に係る導光部材２では、第１の連結腕部２３１における第１の側面２３ｃが第１の放射面２３ａと平行であり、第２の連結腕部２３２における第２の側面２３ｄが第２の放射面２３ｂと平行である場合について説明したが、本実施の形態では、第１の連結腕部２３１及び第２の連結腕部２３２における第１及び第２の入射面２１ａ，２２ａ側の面が全体として一つの平面２３ｅを形成している。このように連結部２３を変形しても、第１の実施の形態と同様の作用及び効果が得られる。
【００４８】
［第３の実施の形態］
次に、本発明の第３の実施の形態に係る導光部材２Ｂについて、図６を参照して説明する。図６は、本発明の第２の実施の形態に係る導光部材２Ｂをインジケータケース３と共に示す断面図である。図６において、第１の実施の形態において説明したものと共通する構成要素については、図１（ｂ）等に付したものと同一の符号を付して重複した説明を省略する。
【００４９】
第１及び第２の実施の形態に係る導光部材２Ａ，２Ｂでは、接続箇所２１０，２２０から連結部２３に入射した光が最初に当たる平面である第１の放射面２３ａ及び第２の放射面２３ｂの角度の設定により、これらの放射面２３ａ，２３ｂから外部に光を放射するように光伝搬抑制形状が構成された場合について説明したが、本実施の形態では、連結部２３が中心軸Ｃ１,Ｃ２に対して垂直な方向に延在する四角柱状であり、その第１及び第２の出射面２１ｂ，２２ｂ側の側面２３ｆに施されたシボ加工によって光伝搬抑制形状が構成されている。シボ加工された部分には、微細な凹部２３３や凸部２３４が多数形成されている。なお、連結部２３における入射面２１ａ，２２ａ側の側面２３ｆや、側面２３ｆと側面２３ｇとの間の側面にも同様のシボ加工を施してもよい。
【００５０】
本実施の形態によれば、連結部２３の表面のシボ加工によって接続箇所２１０，２２０から連結部２３に入射した光が外部に放射され、もしくは乱反射するので、例えば上述の第１の比較例に係る導光部材２０１に比べ、第１の導光部２１との接続箇所２１０から入射した光が連結部２３で内部反射して第２の導光部２２に伝搬することや、第２の導光部２２との接続箇所２２０から入射した光が連結部２３で内部反射して第１の導光部２１に伝搬することが抑制される。これにより、第１の実施の形態と同様に、視認性や意匠性を損なうことなく、組み付け作業工数の低減によってインジケータの低コスト化に寄与することができる。
【００５１】
以上、本発明の実施の形態を説明したが、本発明は、上記の実施の形態に限定されず、発明の主旨を逸脱しない範囲内において種々変形実施が可能である。また、発明の主旨を逸脱しない範囲内において上記実施の形態の構成要素を任意に組み合わせることができる。
【符号の説明】
【００５２】
１                インジケータ
２，２Ａ，２Ｂ    導光部材
２１              第１の導光部
２１０            接続箇所
２１ａ            第１の入射面
２１ｂ            第１の出射面
２２              第２の導光部
２２０            接続箇所
２２ａ            第２の入射面
２２ｂ            第２の出射面
２３              連結部
２３ａ            第１の放射面（第１の面）
２３ｂ            第２の放射面（第２の面）
３                インジケータケース（保持部材）
４１              第１の発光素子
４２              第２の発光素子
Ｃ１，Ｃ２          中心軸
θ                臨界角
【図１】
2020053214.tif 000003
【図２】
2020053214.tif 000004
【図３】
2020053214.tif 000005
【図４】
2020053214.tif 000006
【図５】
2020053214.tif 000007
【図６】
2020053214.tif 000008